(57)【要約】      （修正有）【課題】生産効率及び歩留まりを向上する磁性感応スイッチを提供する。【解決手段】磁性感応スイッチ１であり、スイッチ本体は、中空状の管体１１を含み、開口１２を有し、リードスイッチ２０は、管体１１中に設置され、且つ２つの導体接続点２１を有し、ストッパカバー３０は、弾性挟持力を有し、密着の方式で開口１２中に塞ぎ固定され、各導線４０の一端は、そのうち１つの導体接続点２１に接続し、他端は、位置決め部３２を通過し、管体１１外に延伸突出し、封止剤は、接着剤注入部３１から管体１１内に注入され、リードスイッチ２０及び管体１１内部に位置する導線４０を完全に覆い、精確な位置決めを有する磁性感応スイッチを完成する。【選択図】図２
0003208595.tif 000002
【実用新案登録請求の範囲】
【請求項１】
中空状の管体を含み、開口を有するスイッチ本体と、
管体中に設置され、且つ２つの導体接続点を有するリードスイッチと、
弾性材質で形成され、弾性挟持力を有し、密着方式で開口中に塞ぎ固定され、且つ管体内部に連通可能な少なくとも１つの接着剤注入部及び少なくとも１つの位置決め部を成型するストッパカバーと、
該管体中に貫通設置され、一端は、それぞれ導体接続点に接続し、他端は、該位置決め部を通過し、該管体の外まで延伸突出する２つの導線と、
接着剤注入部から管体内に注入され、リードスイッチ及び管体内部に位置する導線を完全に覆い、且つ少なくとも一部分は、接着剤注入部から露出する封止剤と、
を含む磁性感応スイッチ。
【請求項２】
前記ストッパカバーは、電気的安全規格範囲に適合する厚さを有する請求項１に記載の磁性感応スイッチ。
【請求項３】
前記ストッパカバーは、２つの接着剤注入部、２つの位置決め部及び複数の排気孔を有し、該２つの接着剤注入部は、該２つの位置決め部の２つの側辺に対称に配列され、該排気孔は、各該位置決め部の相対する２つの側辺に対をなして対称に設置される請求項１に記載の磁性感応スイッチ。
【請求項４】
前記ストッパカバーは、該位置決め部から該ストッパカバーの側縁まで延伸して形成される開口を有し、各該導線は、該開口から該位置決め部に押し込まれ、該位置決め部の弾性挟持を受けて位置決めされる請求項３に記載の磁性感応スイッチ。
【請求項５】
前記ストッパカバーは、間隔をおいて設置される２つの婁空溝を成型し、該婁空溝は、該接着剤注入部及び該位置決め部から構成され、各該婁空溝は、１つの接着剤注入部及び該接着剤注入部に連通する１つの位置決め部を含む請求項３に記載の磁性感応スイッチ。
【請求項６】
前記位置決め部は、該接着剤注入部から該ストッパカバーの側縁に延伸して開口を形成し、各該導線は、該開口から該位置決め部に押し込まれ、該位置決め部の弾性挟持を受けて位置決めされる請求項５に記載の磁性感応スイッチ。
【請求項７】
前記ストッパカバーは、開閉可能な２つの半円柱が互いに接続して構成され、各該半円柱は、相対する一側面にそれぞれ連続波浪状を有する凹溝組を成型し、該ストッパカバーは、該２つの半円柱が付き合わせられた後、該２つの凹溝組に共同で該接着剤注入部及び該位置決め部を形成させる請求項１に記載の磁性感応スイッチ。
【請求項８】
各該凹溝組は、接着剤注入凹溝、２つの位置決め凹溝及び嵌合固定溝を含み、該ストッパカバーは、該２つの半円柱が付き合わせられた後、該凹溝組に間隔をおいて設置される接着剤注入部、２つの位置決め部及び嵌合部を共同で形成し、該２つの位置決め部は、該接着剤注入部及び該嵌合部の間に位置する請求項７に記載の磁性感応スイッチ。
【請求項９】
前記ストッパカバーの外縁面は、第１結合部を設け、該管体の内壁面は、該第１結合部に対応して第２結合部を有し、該ストッパカバーは、該第１結合部及び該第２結合部の結合によって該管体上に固定される請求項１に記載の磁性感応スイッチ。
【請求項１０】
該管体外に被せ設けられる浮球及び該管体外に位置決め可能なストッパを更に含み、該浮球は、該ストッパの係止を受けて該管体を変位させない請求項１に記載の磁性感応スイッチ。
【考案の詳細な説明】
【技術分野】
【０００１】
本考案は、磁性感応スイッチに関し、特に、歩留まり及び生産効率を高め、生産コストを下げることができる磁性感応スイッチに関する。
【背景技術】
【０００２】
一般に、磁性感応スイッチ又はフロートスイッチは、磁性感応原理を利用したレベルスイッチ装置である。従来、磁性感応スイッチ装置の実施方式は、中空管体内部にリードスイッチを設置し、該リードスイッチが外部の移動可能な磁石の吸引を受ける時、作動し、電子信号を制御器に伝送し、該制御器にアラート信号を発信させるか、後続の応変処理等を行わせることができる。
【０００３】
従来の磁性感応スイッチ装置の製造過程は、通常、中空管体内に封止剤を注入し、リードスイッチを管体内部に位置決めする。しかしながら、中空管体の内部空間は、狭小であり、従って、リードスイッチを安置する時、外部の空気を中空管体に持ち込み、また、外部の空気が接着剤注入過程において、中空管体内部に入り、空気の存在は、リードスイッチ及びその接続する導線の固定位置に影響を及ぼし、固定リードスイッチ及び導線を円滑に固定することができない等の問題を招く。
【０００４】
また、中空管体内部の空気は、一定時間を経た後、気泡に変わってゆっくりと浮上し、中空管体の表面に凹陥を形成し、これがリードスイッチの銅線を露出し、リードスイッチに対して絶縁保護を行うことができなくなる。従って、従来の磁性感応スイッチ装置の生産方式は、気泡浮上後に気泡を破裂させ、再度接着を行い、中空管体表面の凹陥を補う必要がある。しかしながら、接着剤の硬化待ちの時間は比較的長く、連続生産できず、磁性感応スイッチ装置の製造効率を下げ、製造コストを上昇させる。また、気泡が浮上する過程でリードスイッチに移動を発生させ、元の設置固定位置を変化させ、磁性感応スイッチ装置の歩留まりに影響を及ぼす。
【０００５】
これに鑑み、本考案者は、上記現有技術に対して、研究に専念しており、学理の運用を合わせ、上記問題点の解決に尽力することが、本考案者の改良の目標となっている。
【先行技術文献】
【特許文献】
【０００６】
【特許文献１】特開2005-251575号公報
【考案の概要】
【考案が解決しようとする課題】
【０００７】
本考案の目的は、そのストッパカバーが少なくとも１つの固定孔及び少なくとも１つの接着剤注入部を有し、該固定孔を介して導線を固定し、該接着剤注入部を利用して中空管体内に接着剤を注入する作業を行うことができ、これにより、リードスイッチ及び関連導線を覆い、且つ固定孔及び排気孔の銅線の間の隙間によって空気を排除する効果を達成し、且つストッパカバーが中空管体に緊密に結合することで、リードスイッチと導線の組み合わせの間に変位が生じることを回避することができる磁性感応スイッチを提供することである。
【課題を解決するための手段】
【０００８】
上記目的を達成する為、本考案の磁性感応スイッチは、スイッチ本体、リードスイッチ、ストッパカバー、２つの導線及び封止剤を含む。スイッチ本体は、中空状の管体を含み、開口を有し、リードスイッチは、管体中に設置され、且つリードスイッチは、２つの導体接続点を有し、ストッパカバーは、弾性材質で形成され、弾性挟持力を有し、ストッパカバーは、密着方式で開口中に塞ぎ設けられ、且つストッパカバーは、管体内部に連通可能な少なくとも１つの接着剤注入部及び少なくとも１つの位置決め部を成型し、２つの銅線は、該管体中に貫通設置され、該２つの導線の一端は、それぞれ導体接続点に接続し、他端は、該位置決め部を通過し、該管体外まで延伸突出し、封止剤は、接着剤注入部から管体内に注入され、封止剤は、リードスイッチ及び管体内部に位置する導線を完全に覆い、且つ封止剤の少なくとも一部分は、接着剤注入部から露出する。
【考案の効果】
【０００９】
従来技術に比較し、本考案の磁性感応スイッチは、ストッパカバーに設置され、且つストッパカバーは、プラスチック又はゴム等の弾性材質で形成されて圧縮可能であり、弾性挟持力を有し、また、ストッパカバーは、密着の方式でスイッチ本体の開口中に塞ぎ設けられ、スイッチ本体の管体内部に連通可能な接着剤注入部及び位置決め部を成型し、これに基づき、封止剤注入管体は、空気を管体内に存在させず、更に、封止剤は、リードスイッチ及び管体内に位置する導線を完全に覆うことができ、且つ封止剤が硬化した後、管体内のリードスイッチは、移動を発生することがなく、これにより、精確な位置決めを有する磁性感応スイッチを達成し、磁性感応スイッチの生産効率及び歩留まりを向上し、本考案の利便性及び実用性を高める。
【図面の簡単な説明】
【００１０】
【図１】本考案の磁性感応スイッチの立体外観説明図である。
【図２】本考案の磁性感応スイッチの立体分解説明図である。
【図３】本考案のストッパカバーの立体外観説明図である。
【図４】本考案の磁性感応スイッチの断面図である。
【図５】本考案のストッパカバーのもう１つの実施例の立体外観説明図である。
【図６】本考案の磁性感応スイッチのもう１つの実施例の断面図である。
【図７】本考案のストッパカバーの更にもう１つの実施例の立体外観説明図である。
【図８】本考案の磁性感応スイッチの更にもう１つの実施例の断面図である。
【考案を実施するための形態】
【００１１】
本考案の詳細な説明及び技術内容について、以下に図面を合わせて説明するが、図面は、参考及び説明用に提供するだけであり、本考案に制限を加えるものではない。
【００１２】
図１及び図２を参照し、それは、それぞれ本考案の磁性感応スイッチの立体外観図及び立体分解図である。本考案は、磁性感応スイッチ１は、スイッチ本体１０、リードスイッチ２０、ストッパカバー３０、２つの導線４０及び封止剤５０を含む。該リードスイッチ２０及び該２つの導線４０は、該スイッチ本体１０内に設置され、該ストッパカバー３０は、該スイッチ本体１０に被さり、該封止剤５０は、該スイッチ本体１０内に充填され、これにより、該スイッチ本体１０内部のリードスイッチ２０及び２つの導線４０を固定設置する。該磁性感応スイッチ１の構造を以下に詳細に説明する。
【００１３】
該スイッチ本体１０は、中空状の管体１１を含み、開口１２を有する。本考案の実施例において、該スイッチ本体１０は、該管体１１外に設置される螺子部１３及びベース１４を更に含む。該螺子部１３は、該スイッチ本体１０を固定物（図示せず）、例えば、容器等に固定する。該ベース１４は、ハンドツール（図示せず）に被せ合わせを行わせ、該スイッチ本体１０に対して回転を行い、該螺子部１３を介して該スイッチ本体１０を、螺子孔を有する固定物上にロックすることができる。
【００１４】
該リードスイッチ２０は、該管体１１中に設置され、且つ該リードスイッチ２０は、２つの導体接続点２１を有する。また、該リードスイッチ２０の構造は、公知に属し、ここでは再度記載しない。
【００１５】
該ストッパカバー３０は、プラスチック又はゴム等の弾性材質で形成され、圧縮可能であり、弾性挟持力等の特性を有する。また、該ストッパカバー３０は、密着方式で該スイッチ本体１０の開口１２中に塞ぎ固定され、且つ該ストッパカバー３０は、該スイッチ本体１０の管体１１内部に連通可能な少なくとも１つの接着剤注入部３１及び少なくとも１つの位置決め部３２を成型し、そのうち、該接着剤注入部３１は、円孔に設置され、該位置決め部３２は、孤形孔である。また、該ストッパカバー３０は、電気的安全規格に適合する範囲の厚さを有する。好ましくは、該ストッパカバー３０の厚さは、３ｍｍ以上であり、２つの導線４０を挟持する機能を有する。
【００１６】
該２つ導線４０は、該管体１１中に貫通設置され、該２つの導線４０の一端は、それぞれそのうち１つの該導体接続点２１に接続し、他端は、該ストッパカバー３０の位置決め部３２を通過して該管体１１外に延伸突出する。
【００１７】
該リードスイッチ２０及び該２つの導線４０は、該管体１１内に安置された後、該ストッパカバー３０は、該スイッチ本体１０の開口１２中に塞ぎ設けられ、続いて、該管体１１内部に対して接着剤注入作業を開始する。
【００１８】
該封止剤５０は、エポキシ樹脂等の絶縁封止剤である。該封止剤５０は、該ストッパカバー３０の接着剤注入部３１から該管体１１内に注入される。また、該封止剤５０は、該リードスイッチ２０及び該管体１１内部に位置する導線４０を完全に覆い、且つ該封止剤５０の少なくとも一部分は、該接着剤注入部３１から突出して露出する。
【００１９】
本考案の実施例において、該磁性感応スイッチ１は、該スイッチ本体１０の管体１１外に被せ設けられる浮球６０及び該管体１１外に位置決め可能なストッパ７０を更に含み、該浮球６０は、該ストッパ７０の係止を受けて該管体１１を変位させることがなく、該ストッパ７０は、Ｃ形ラッチ等のロック部材を設置することができる。実際の実施時、該浮球６０の内部に磁性吸引部材（図示せず）を設置し、また、該浮球６０は、液面の位置の変化に伴って該管体１１外で移動し、該浮球６０が所定の位置まで移動した後、該管体１１内のリードスイッチ２０は、該磁性吸引部材の吸引を受けて動作し、電子信号を伝送する。
【００２０】
注意すべきこととして、本実施例において、該ストッパカバー３０の外縁面３０１は、第１結合部３０２を設け、一方で、該管体１１の内壁面は、該第１結合部３０２に対応して第２結合部１１１を有する。該ストッパカバー３０は、該第１結合部３０２及び該第２結合部１１１の結合によって該管体１１の開口１１上に固定され、該ストッパカバー３０を該管体１１上の位置決めを維持する。本実施例において、第１結合部３０２は、環溝であり、該第２結合部１１１は環リブであるが、実際の実施時にこの形態に制限するものではなく、該第１結合部３０２及び該第２結合部１１１は、相互に位置決め可能な構造であることができる。
【００２１】
図３及び図４を更に参照し、それは、それぞれ本考案のストップカバーの平面図及び磁性感応スイッチの断面図である。図３に示すように、本実施例において、該ストッパカバー３０は、２つの接着剤注入部３１、２つの位置決め部３２及び複数の排気孔３３を有する。また、該２つの接着剤注入部３１は、該２つの位置決め部３２に対称に配列される２つの側辺であり、該排気孔３３は、各該位置決め部３２に対をなして相対設置される相対する２つの側辺である。また、該ストッパカバー３０は、該位置決め部３２から該ストッパカバー３０の側縁まで延伸して形成される開口３４を有し、各該導線４０は、該開口３４から該位置決め部３２へ押し込まれ、該位置決め部３２の弾性挟持を受けて位置決めされる。該封止剤５０は、該接着剤注入部３１から該管体１１に注入される。
【００２２】
図４を参照し、図から明確に分かるように、該２つの導線４０は、それぞれ該２つの位置決め部３２中に位置決めされ、該封止剤５０が該接着剤注入部３１から該管体１１に注入される時、該管体１１内部の空気は、該封止剤５０により押圧され、該排気孔３３から排出される。該封止剤５０が該管体１１に一定量に達するまで注入された後、該封止剤５０は、少なくとも一部分が該２つの接着剤注入部３１及び該排気孔３３から露出する。これにより、該管体１１内部は、空気が存在せず、該封止剤５０は、該リードスイッチ２０及び該管体１１内に位置する導線２０を完全に覆うことができ、且つ該封止剤５０が硬化した後、該管体１１内のリードスイッチ２０は、変位を生じず、精確な位置決めを有する磁性感応スイッチ１を達成し、該磁性感応スイッチ１の生産効率及び歩留まりを向上する。
【００２３】
図５及び図６を参照し、それは、本考案のストッパカバーのもう１つの実施例の立体外観説明図及び磁性感応スイッチの他の実施例の断面図である。本実施例は、前の実施例とほぼ同じであり、磁性感応スイッチ１ａは、スイッチ本体１０ａ、リードスイッチ(図示せず)、ストッパカバー３０ａ、２つの導線４０ａ及び封止剤５０ａを含む。且つストッパカバー３０ａは、少なくとも１つの接着剤注入部３１ａ及び少なくとも１つの位置決め部３２ａを成型する。本実施例と前記実施例の異なる箇所は、該ストッパカバー３０ａの構造の設置にある。
【００２４】
図５に示すように、本実施例において、該ストッパカバー３０ａは、間隔をおいて設置される２つの婁空溝３００ａを成型する。更に具体的には、各該婁空溝３００ａは、接着剤注入部３１ａ及び該位置決め部３２ａから構成され、各該婁空溝３００ａは、１つの接着剤注入部３１ａ及び該接着剤注入部３１ａに連通する１つの位置決め部３２ａを含む。そのうち、該位置決め部３２ａは、円孔に設置され、該接着剤注入部３１ａは、弧形孔に設置される。好ましくは、該位置決め部３２ａは、該接着剤注入部３１ａから該ストッパカバー３０ａの側辺まで延伸して開口３３ａを形成し、各該導線４０ａは、該開口３３ａから該位置決め部３２ａを押し込まれ、該位置決め部３２ａの弾性挟持を受けて位置決めされる。
【００２５】
図６を参照し、該２つの導線４０ａは、それぞれ該２つの位置決め部３２ａ中に位置決められ、該封止剤５０ａは、該接着剤注入部３１ａから該管体１１ａに注入され、該封止剤５０ａが該管体１１ａに一定量に達するまで注入された後、該封止剤５０ａは、リードスイッチ及び該管体１１ａ内の導線４０ａを完全に覆うことができる。
【００２６】
図７及び図８を参照し、それは、本考案のストッパカバーの更にもう１つの実施例の立体外観説明図及び磁性感応スイッチのもう１つの実施例の断面図である。本実施例と前の実施例とほぼ同じであり、磁性感応スイッチ１ｂは、スイッチ本体１０ｂ、リードスイッチ(図示せず)、ストッパカバー３０Ｂ、２つの導線４０ｂ及び封止剤５０ｂを含む。且つ該ストッパカバー３０ｂは、少なくとも１つの接着剤注入部３１ｂ及び少なくとも１つの位置決め部３２ｂを成型し、そのうち、該接着剤注入部３１ｂ及び該位置決め部３２ｂは、何れも円孔に設置される。本実施例と前の実施例の異なる箇所は、該ストッパカバー３０ｂの構造設置態様にある。
【００２７】
図７に示すように、本実施例において、該ストッパカバー３０ｂは、開閉可能な２つの半円柱３０ｂ’が互いに接続されて構成され、各該半円柱３０ｂは、相対する一側面にそれぞれ連続波浪状の凹溝組３００ｂを成型し、該ストッパカバー３０ｂは、該２つの半円柱３０ｂ’が合わさった後、該２つの凹溝組３００ｂに共同で該接着剤注入部３１ｂ及び該位置決め部３２ｂを形成させる。
【００２８】
更に具体的に述べれば、各該凹溝組３００ｂは、接着剤注入部３１ｂ’、２つの位置決め部３２ｂ’及び嵌合固定溝３３ｂ’を含み、そのうち、該接着剤注入部３１ｂ’及び該位置決め凹溝３２ｂ’は、何れも半円形孔に設置される。該ストッパカバー３０ｂは、該２つの半円柱３０ｂ’を合わせた後、該２つの凹溝組３００ｂに共同で間隔をおいて設置される接着剤注入部３１ｂ、２つの位置決め部３２ｂ及び嵌合部３３ｂを形成させ、そのうち、該２つの位置決め部３２ｂは、該接着剤注入部３１ｂ及び該嵌合部３３ｂの間に位置する。
【００２９】
図８を参照し、該２つの導線４０ｂは、それぞれ該２つの位置決め部３２ｂ中に位置決めされ、該封止剤５０ｂは、該接着剤注入部３１ｂから該管体１１ｂに注入され、該封止剤５０ｂが該管体１１ｂに一定量に達するまで注入された後、該封止剤５０ｂの少なくとも一部分が該接着剤注入部３１ｂ及び接合部３３ｂから露出される。該２つの半円柱３０ｂ’は、該封止剤５０ｂを該嵌合部３３ｂに充填することによって結合される。また、該封止剤５０ｂは、リードスイッチ及び該管体１１ｂ内に位置する導線２０ｂを完全に覆うことができる。
【００３０】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００３１】
１、１ａ、１ｂ  磁性感応スイッチ
１０、１０ａ、１０ｂ  スイッチ本体
１１  管体
１１１  第２結合部
１２  開口
１３  螺子部
１４  ベース
２０  リードスイッチ
２１  導体接続点
３０、３０ａ、３０ｂ  ストッパカバー
３０ｂ’  半円柱
３００ａ  婁空溝
３００ｂ  凹溝組
３０１  外縁面
３０２  第１結合部
３１、３１ａ、３１ｂ  接着剤注入部
３１ｂ’  接着剤注入凹溝
３２、３２ａ、３２ｂ  位置決め部
３２ｂ’  位置決め凹溝
３３  排気孔
３３ａ  開口
３３ｂ’  嵌合固定溝
３３ｂ  嵌合部
３４  開口
４０、４０ａ、４０ｂ  導線
５０、５０ａ、５０ｂ  封止剤
６０  浮球
７０  ストッパ
【図１】
0003208595.tif 000003
【図２】
0003208595.tif 000004
【図３】
0003208595.tif 000005
【図４】
0003208595.tif 000006
【図５】
0003208595.tif 000007
【図６】
0003208595.tif 000008
【図７】
0003208595.tif 000009
【図８】
0003208595.tif 000010